(57)【要約】【課題】錠剤に押されてカバーが外れるといった不都合を回避できるカバー着脱構造を備えた錠剤カセットを提供する。【解決手段】多数の錠剤Ｔを収納するカセット本体５と、該カセット本体５に回転可能に収容されたロータ本体１２と、該ロータ本体１２の上面に着脱可能に設けられたカバー１８と、ロータ本体１２とカバー１８を係合する係合部１２ｄ，１９ｄとを備える。ロータ本体１２とカバー１８との係合部１２ｄ，１９ｄの係合をカバー１８に形成された孔２０ｂを通して解除可能に構成されている。【選択図】図７
2020198964.tif 000002
【特許請求の範囲】
【請求項１】
多数の錠剤を収納するカセット本体と、前記カセット本体に回転可能に収容されたロータ本体と、前記ロータ本体の上面に着脱可能に設けられたカバーと、前記ロータ本体と前記カバーを係合する係合部とを備えた錠剤カセットにおいて、
前記ロータ本体と前記カバーとの前記係合部の係合を前記カバーに形成された孔を通して解除可能に構成されていることを特徴とする錠剤カセット。
【請求項２】
前記係合部は、
前記ロータ本体と前記カバーのいずれか一方に設けられた弾性片と、
前記弾性片の端部に設けられた第１係合部と、
前記ロータ本体と前記カバーのいずれか他方に設けられ、前記第１係合部に係合する第２係合部とからなり、
前記弾性片の端部に前記弾性片の弾性に抗して押圧可能な解除部が形成されていることを特徴とする請求項１に記載の錠剤カセット。
【請求項３】
前記カバーの前記孔は、前記解除部により前記カバーの内側から塞がれていることを特徴とする請求項２に記載の錠剤剤カセット。
【請求項４】
前記カバーの中央に形成された取付孔にキャップが嵌合され、前記孔は前記キャップに形成されていることを特徴とする請求項１から３のいずれかに記載の錠剤カセット。
【請求項５】
前記係合部は、前記ロータに周方向等配位置に複数設けられていることを特徴とする請求項１から４のいずれかに記載の錠剤カセット。
【発明の詳細な説明】
【技術分野】
【０００１】
本発明は、錠剤カセットに関する。
【背景技術】
【０００２】
本願出願人は、特許文献１において、錠剤の大きさ、形状、種類に応じてロータの錠剤案内路の幅、深さ、錠剤案内路の下部に設けた錠剤支持台から仕切部材までの高さを変更できる錠剤カセットのロータを提案している。特許文献１のロータには、深さ調整機構、高さ調整機構、幅調整機構の各操作部が上面に設けられ、これらの操作部を覆うカバーが着脱可能に取り付けられている。カバーは、ロータとともに回転して錠剤カセットに収納される錠剤を撹拌するものであるが、深さ調整機構、高さ調整機構、幅調整機構の各操作部を調整する際には取り外す必要がある。
【０００３】
ロータのカバーを取り外す場合、カバーに摘み等を設ければ取り外しが容易である。しかし、カバーやキャップには、錠剤を支持し撹拌する機能を阻害するような無用の突起物を取り付けることはできない。そこで、キャップをプッシュするだけでカバーをキャップとともに取り外すことができる機構を設けることが考えられる。
【０００４】
しかし、このようなプッシュ式の取り外し機構は、錠剤カセットに錠剤を満杯状態で収容して蓋を無理に閉じた場合、キャップが錠剤に押されてカバーの係合が外れ、ロータの回転に支障を来すという問題があった。
【先行技術文献】
【特許文献】
【０００５】
【特許文献１】特許第６２２２４１４号公報明細書
【発明の概要】
【発明が解決しようとする課題】
【０００６】
本発明は前記従来の問題点に鑑みてなされたもので、錠剤に押されてカバーが外れるといった不都合を回避できるカバー着脱構造を備えた錠剤カセットを提供することを目的とする。
【課題を解決するための手段】
【０００７】
前記課題を解決するために、本発明は、
多数の錠剤を収納するカセット本体と、前記カセット本体に回転可能に収容されたロータ本体と、前記ロータ本体の上面に着脱可能に設けられたカバーと、前記ロータ本体と前記カバーを係合する係合部とを備えた錠剤カセットにおいて、
前記ロータ本体と前記カバーとの前記係合部の係合を前記カバーに形成された孔を通して解除可能に構成されている。
【０００８】
本発明では、カバーに形成された孔を通して係合部の係合が解除される。錠剤カセットに錠剤カセットが満杯状態に収容され、蓋が閉じられた場合、カバーが錠剤に押されることがあっても、ロータ本体とカバーとの係合部の係合が解除されることはない。
【０００９】
前記係合部は、
前記ロータ本体と前記カバーのいずれか一方に設けられた弾性片と、
前記弾性片の端部に設けられた第１係合部と、
前記ロータ本体と前記カバーのいずれか他方に設けられ、前記第１係合部に係合する第２係合部とからなり、
前記弾性片の端部に前記弾性片の弾性に抗して押圧可能な解除部が形成されている。
本発明では、弾性片の端部に形成された解除部を押圧することで、弾性片が撓み、弾性片の第１係合部が第２係合部から外れ、ロータ本体とカバーとの係合部の係合が解除される。
【００１０】
前記カバーの前記孔は、前記解除部により前記カバーの内側から塞がれている。
本発明では、カバーの孔が解除部によりカバーの内側から塞がれているので、錠剤カセット内の錠剤の粉がカバーの孔を通ってロータの内部に進入することがなくなる。
【００１１】
前記カバーの中央に形成された取付孔にキャップが嵌合され、前記孔は前記キャップに形成されている。
本発明では、キャップの孔を通して係合部を解除してもカバーが外れなかった場合、キャップをカバーから取り外すことで、ロータ本体とカバーとの係合部の係合を解除することができる。
【００１２】
前記係合部は、前記ロータに周方向等配位置に複数設けられている。
本発明では、複数の係合部を同時に解除すると、カバーを取り外すことができる。このため、１つの係合部が誤って解除されても、他の係合部が解除されず、カバーを取り外すことができないため、安全である。
【発明の効果】
【００１３】
本発明によれば、錠剤カセットに錠剤カセットが満杯状態に収容され、蓋が閉じられた場合、カバーが錠剤に押されることがあっても、カバーに形成された孔を通して解除しない限り、ロータ本体とカバーとの係合部の係合が解除されることはないため、錠剤に押されてカバーが外れるといった不都合を回避することができる。
【図面の簡単な説明】
【００１４】
【図１】モーターベースに装着される錠剤カセットの斜視図。
【図２】錠剤カセットの斜め下方から見た斜視図。
【図３】専用工具によりローターカバーを取り外す状況を示す斜視図。
【図４】カバー本体とキャップを取り外した状態を示す錠剤カセットの斜視図。
【図５】キャップの斜め下方から見た斜視図。
【図６】カバー本体の斜め下方から見た斜視図。
【図７】ローターカバーを取り外す状況を順に示す断面図。
【図８】ロータの斜め上方から見た斜視図。
【図９】ロータの斜め下方から見た斜視図。
【図１０】ロータの錠剤案内溝の深さを調整する状況を示す断面図。
【図１１】ロータの深さ調整機構を示す斜視図。
【図１２】ロータの高さ調整機構を示す斜視図。
【図１３】ロータの幅調整機構を示す斜視図。
【図１４】カセット本体の底部に形成された凹部を示す斜視図。
【図１５】カセット本体の底部に形成された凹部を示す断面図。
【図１６】セット本体の内面に形成された撹拌用突部及びその延長部を示す斜視図。
【図１７】セット本体の内面に形成された延長部の作用を示す断面図。
【図１８】錠剤カセットの仕切ブロックの取付状況を示す斜視図。
【図１９】仕切ブロックの正面図。
【図２０】仕切ブロックの平面図。
【発明を実施するための形態】
【００１５】
以下、本発明の実施形態を添付図面に従って説明する。  
【００１６】
図１は、錠剤収納払出装置に固定されるモータベース１と、該モータベース１に着脱可能に装着される本発明の実施形態に係る錠剤カセット２と示す。
【００１７】
モーターベース１には、錠剤カセット２をスライドして着脱するための装着ガイド１ａが設けられるとともに、錠剤カセット２の錠剤出口９に連通する錠剤排出路１ｂが形成されている。モータベース１の内部に、図示しないモータが内蔵され、該モータのモータギア３が上面に露出している。錠剤カセット２を装着すると、図２に示すように、錠剤カセット２のロータ８の回転軸１０ａに取り付けられた中間ギア１０ｂがモータギア３に噛み合って、錠剤カセット２のロータ８を駆動するようになっている。また、モータベース１の上面には、金属板４が設けられ、該金属板４は錠剤収納取出装置のフレーム等を介して接地されている。これにより、錠剤カセット２を装着した際に、錠剤カセット２のロータ８の回転軸１０ａの下端が当該金属板４に接触して、ロータ８の除電がなされるようになっている。
【００１８】
錠剤カセット２は、カセット本体５と、該カセット本体５の上方開口を開閉かつ着脱可能に覆う蓋６と、カセット本体５の下部に設けられたスカート部７と、図３に示すようにカセット本体５に収容されたロータ８とからなっている。
【００１９】
カセット本体５は、図１０に示すように、上方に開口する矩形の上部５ａと、逆円錐状の傾斜部５ｂと、円筒筒状部５ｃと、底部５ｄとから構成されている。底部５ｄから傾斜部５ｂまでの内部空間には、ロータ８が収容されるとともに、ロータ８より上方に多数の錠剤Ｔが収容可能になっている。傾斜部５ｂの下部から底部５ｄにかけて錠剤出口９が形成されている。錠剤出口９は、図１に示すモーターベース１に形成された錠剤排出路１ｂに連通している。カセット本体５の外側には、図１８に示すように、仕切部材２１を有する仕切ブロック２２が取り付けられ、該仕切部材２１の先端は傾斜部５ｂの外側から錠剤出口９の上方に形成された図１４に示すスリット９ａを介して内側に差し込まれている。底部５ｄの中央には、図１４に示すロータ駆動部１０が収容されるロータ軸孔１１が形成されている。ロータ駆動部１０は、回転軸１０ａと、該回転軸に固着された図示しない駆動ギアと、該駆動ギアに噛合する中間ギア１０ｂとを有している。
【００２０】
ロータ８は、図８，９に示すように、概略、上面が円錐形、側面が逆円錐形、底面が平坦な形状を有している。ロータ８の側面上部には、周方向に錠剤ポケット８ａが設けられ、該錠剤ポケット８ａから下方に延びる複数の錠剤案内路８ｂが周方向に等間隔に設けられている。
【００２１】
錠剤ポケット８ａは、ロータ本体１２の外周面と、第１可動部材１３の水平突片１３ａと第２可動部材１４の水平突片１４ａとで形成され、カセット本体５の傾斜部５ｂに囲まれて、カセット本体５内に収容された錠剤Ｔを受け入れて周方向に整列させる。
【００２２】
錠剤案内路８ｂは、ロータ本体１２の傾斜外面１２ａと、第１可動部材１３の垂直突片１３ｂ、第２可動部材１４の垂直突片１３ｂと、筒状部材１５に螺合する環状昇降部材１６の錠剤支持台１６ａとで溝状に形成され、カセット本体５の傾斜部５ｂに覆われて、錠剤ポケット８ａに整列している錠剤Ｔを受け入れて下方に案内する。
【００２３】
錠剤案内路８ｂは、錠剤カセットに収容される錠剤の形状又は大きさに応じて、溝の深さ、高さ、幅を調整し、錠剤が円滑に錠剤案内路８ｂを通過し、図１０に示す錠剤出口９から排出されるようにする必要がある。
【００２４】
ここで、錠剤案内路８ｂの溝の「深さ」は、錠剤案内路８ｂを通る錠剤の厚さ方向の寸法であって、カセット本体５の傾斜部５ｂとロータ本体１２の傾斜外面１２ａとの間の寸法Ｄである。溝の「高さ」は、錠剤案内路８ｂを通る錠剤の高さ方向の寸法であって、仕切部材２１とロータ８の環状昇降部材１６の錠剤支持台１６ａとの間の寸法Ｈである。溝の「幅」は、錠剤案内路８ｂを通る錠剤の幅方向の寸法であって、第１可動部材１３の垂直突片１３ｂと第２可動部材１４の垂直突片１４ｂとの間の寸法Ｗである。
【００２５】
ロータ８は、錠剤案内路８ｂの溝形状を調整するために、図１１に示す深さ調整機構Ｍ１、図１２に示す高さ調整機構Ｍ２、図１３に示す幅調整機構Ｍ３を有している。これらの機構については、特許文献１に詳述され、公知であるので、説明を省略する。
【００２６】
図４に示すように、ロータ本体１２の上面には、深さ調整機構Ｍ１の深さ調整部材１７ａ、高さ調整機構Ｍ２の高さ調整部材１７ｂ、幅調整機構Ｍ３の幅調整部材１７ｃが設けられ、これらの調整部材１７ａ、１７ｂ、１７ｃはローターカバー１８で覆われている。
【００２７】
ローターカバー１８は、ロータ８のロータ本体１２に着脱可能に取り付けられている。このために、ロータ本体１２には、図１１に示すように、上面をＵ字形の繰り抜くことで、上下方向に弾性変形可能な２つの弾性片１２ｂが形成されている。弾性片１２ｂはロータ本体１２の半径方向に中央に向かって延び、図７に示すように、先端で上方に立ち上がる端部１２ｃが形成されている。弾性片１２ｂの端部１２ｃの外面の上端には、爪状の第１係合部１２ｄが形成されている。弾性片１２ｂの端部１２ｃの上面には、円形突状の解除部１２ｅが形成されている。
【００２８】
ローターカバー１８は、図４に示すように、カバー本体１９とキャップ２０とから構成されている。
【００２９】
カバー本体１９は、円錐状で、表面には錠剤を撹拌するための半径方向に延びる段部１９aが形成されている。カバー本体１９の中央にはキャップ１９を取り付けるための取付孔１９ｂが形成されている。図６に示すように、取付孔１９ｂの内周の対向する位置に下方に延びる弧状の突出部１９ｃが形成され、該突出部１９ｃの内面の下端には爪状の第２係合部１９ｄが形成されている。また、弧状の突出部１９ｃの間に直線状の縁部１９ｅが形成されている。
【００３０】
キャップ２０は、図５に示すように、カバー本体１９の取付孔１９ｂに嵌合する円錐状で、外周縁の対向する位置にはカバー本体１９の縁部１９ｅに係合する２つの弾性係合片２０ａが形成されている。また、キャップ２０の２つの弾性係合片２０ａから周方向に９０°離れた位置には２つの孔２０ｂが形成されている。キャップ２０の２つの孔２０ｂは、ロータ本体１２の２つの解除部１２ｅと対向する位置にあり、解除部１２ｅにより内側から塞がれている。
【００３１】
ロータ８の各調整部材１７ａ、１７ｂ、１７ｃを操作するためにローターカバー１８を外す場合、図２に示すように、２つの押圧ピンＰ１，Ｐ２を有する専用工具Ｓを用いる。図７（ａ）に示すように、専用工具Ｓの押圧ピンＰ１，Ｐ２をキャップ２０の孔２０ｂに挿入し、ロータ本体１２の解除部１２ｅを弾性片１２ｂの弾性に抗して下方に押圧する。これにより、図７（ｂ）に示すように、ロータ本体１２の弾性片１２ｂが撓むとともに、端部１２ｃが内側に若干撓んで、第１係合部１２ｄが第２係合部１９ｄの表面を摺動し、第１係合部１２ｄと第２係合部１９ｄとの係合が外れる。さらに、図７（ｃ）に示すように、解除部１２が押圧ピンＰ１，Ｐ２により押圧されることで、第１係合部１２ｄが第２係合部１９ｄの下方に移動し、端部１２ｃが自らの弾性により外側に復帰し、第２係合部１９ｄの下方に移動する。ここで、押圧ピンＰ１，Ｐ２を引き抜くことにより、ロータ本体１２の弾性片１２ｂの付勢力により、第１係合部１２ｅが第２係合部１９ｄを介してカバー本体１９を上方に押し上げる。これにより、図７（ｄ）に示すように、カバー本体１９とキャップ２０からなるローターカバー１８をロータ本体１２から取り外すことができる。
【００３２】
また、ローターカバー１８を取り付けるには、キャップ２０をカバー本体１９の取付孔１９ｂに取り付けた状態でローターカバー１８をロータ本体１２に押し付け、ロータ本体の第１係合部１２ｄにカバー本体の第２係合部１９ｄを係合させる。
【００３３】
前記実施形態では、キャップ２０の孔２０ｂは、解除部１２ｅによりローターカバー１８の内側から塞がれている。このため、錠剤カセット２内の錠剤の粉が孔２０ｂを通ってロータ本体１２の内部に進入することがなくなる。
【００３４】
また、カバー本体１９の中央に形成された取付孔１９ｂにキャップ２０が嵌合され、キャップ２０に孔２０ｂが形成されている。このため、キャップ２０の孔２０ｂを通して係合部を解除してもローターカバー１８が外れなかった場合、キャップ２０をカバー本体１９から取り外すことで、ロータ本体１２とローターカバー１８との係合を解除することができる。
【００３５】
さらに、第１係合部１２ｄと第２係合部１９ｄの係合部は、周方向等配位置に２つ設けられている。このため、２つの係合部を同時に解除すると、ローターカバー１８を取り外すことができるが、１つの係合部が誤って解除されても、他の係合部が解除されず、ローターカバー１８を取り外すことができないため、安全である。
【００３６】
図１０に示すように、前記ロータ８の深さ調整機構Ｍ１によりロータ本体１２を上昇させ、錠剤案内溝８ｂの深さを深くすると、ロータ本体１２と水平突片１３ａ，１４ａとの間の隙間が大きくなり、この隙間に錠剤ポケット８ａに位置する錠剤Ｔが挟まる恐れがある。そこで、本実施形態では、図１３に示すように、第１可動部材１３の水平突片１３ａと第２可動部材１４の水平突片１４ａの基部に、それぞれ上方に立ち上がる側壁１３ｃ，１４ｃが形成されている。このため、ロータ本体１２を上昇させ、錠剤案内溝８ｂの深さを深くしたときでも、ロータ本体１２と水平突片１３ａ，１４ａとの間の隙間が側壁１３ｃ，１４ｃで塞がれるので、錠剤ポケット８ａの錠剤Ｔが挟まることが防止される。
【００３７】
錠剤カセット２に収納された錠剤Ｔは、ロータ８の回転に伴って、ローターカバー１２の段部１９ａやカセット本体５のダイヤ状の突起５ｅにより撹拌される。ロータ８やカセット本体５の内面と錠剤Ｔとの接触により静電気が発生し、錠剤Ｔがロータ８やカセット本体５の内面に付着して錠剤カセット２から排出されないことがある。本発明の実施形態では、図１に示すように、ロータ８の回転軸１０ａの下端がモーターベース１の金属板４に接触しているので、ロータ８やカセット本体５に生じる静電気が除電されるので、錠剤Ｔがロータ８やカセット本体５の内面に付着するのが防止される。
【００３８】
ロータ８が倒れたまま回転し、揺れてカセット本体５の内面と長時間接触すると、樹脂紛が発生する。この樹脂紛は錠剤出口９から錠剤Ｔとともに排出されて包装され、薬を服用した患者の体内に樹脂紛が飲み込まれ、健康を害する恐れがある。そこで、本実施形態では、図１４に示すように、カセット本体５の底部５ｄ内面に環状の凹部５ｆが形成されている。このため、図１５に示すように、ロータ８とカセット本体５との接触により発生する樹脂紛は凹部５ｆに溜まり、錠剤出口９から排出されることがなくなる。この結果、樹脂紛が薬とともに服用されることが防止される。また、ロータ８の傾きを防止するために、ロータ８の下面に周方向に複数のリブ８ｃが凹部５ｆ内に位置するように設けられている。このリブ８ｃが凹部５ｆの底面と接触して樹脂紛が発生しても、この樹脂紛が錠剤出口９から排出されることはない。凹部５ｆに蓄積した樹脂紛は、錠剤カセット２のメンテナンス時や錠剤の充填、補充時に清掃することで除去することができる。
【００３９】
錠剤ポケット８ａに入った錠剤、特にカプセル等のように細長い錠剤は、錠剤案内溝８ｂに入ることなく、錠剤ポケット８ａに入ったまま寝た姿勢で周方向に移動し続けることがある。本実施形態では、図１６，１７に示すように、カセット本体５の内面に形成された錠剤撹拌用のダイヤ状の突起５ｅに錠剤ポケット８ａに向かって傾斜部５ｂまで延びる延長部５ｅ´を形成している。このため、錠剤ポケット８ａに入った細長い錠剤Ｔは、先端が突起５ｅの延長部５ｅ´に当たって起き上がり、錠剤案内溝８ｂに入り、錠剤出口９から排出される。
【００４０】
図１８に示すように、仕切部材２１が取り付けられた仕切ブロック２２は、カセット本体５の外面に取付けねじ２３で取り付けられる。仕切部材２１のメンテナンスや交換の際に、仕切ブロック２２はカセット本体５から取り外されるが、取付けねじ２３が落下してモーターベース１の錠剤排出路１ｂに入り込み、気が付かずに錠剤Ｔととともに包装されてしまい、患者が誤飲する恐れがある。そこで、本実施形態では、図１９，２０に示すように、仕切ブロック２２の取付けねじ２３のねじ穴の近傍に、１８０°離れた位置に突部２２ａを設け、該突部２２ａの先端に、取付けねじ２３の取り外し時に取付けねじ２３の頭部が引っ掛かる引掛け部２２ｂが形成されている。これにより、取付けねじ２３が緩んでカセット本体５のねじ穴から外れたときに、取付けねじ２３の頭部が引掛け部２２ｂに引っ掛かって落下するのが防止される。
【００４１】
なお、仕切ブロック２２の取り付けにあたっては、２つの突部２２ａの間から取付けねじ２３のねじ穴に向かって、取付けねじ２３を斜めに挿入することができる。
または、取付ねじ２３を仕切ブロック２２のねじ穴に向かって押し込むと、取付ねじ２３の頭部が引掛け部２２ｂに当たり、引掛け部２２ｂが弾性変形して、取付ねじ２３の頭部が引掛け部２２ｂを通過して、取付ねじ２３をねじ穴に挿入することができる。
【００４２】
本発明は、前記実施形態に限るものではなく、発明の要旨を逸脱することなく、修正や変更を行うことができる。
【００４３】
例えば、前記実施形態では、ロータ本体１２に弾性片１２ｂを設けたが、ローターカバー１８側に弾性片を設けてもよい。
【００４４】
また、前記実施形態では、押圧ピンＰ１，Ｐ２により解除部１２ｅを押圧するように構成されているが、第１係合部１２ｄと第２係合部１９ｄの係合部を直接解除するようにしてもよい。
【符号の説明】
【００４５】
１…錠剤カセット
５…カセット本体
８…ロータ
１２…ロータ本体
１２ｂ…弾性片
１２ｃ…端部
１２ｄ…第１係合部
１８…ローターカバー
１９…カバー本体
１９ｄ…第２係合部
２０…キャップ
２０ｄ…第２係合部
２０…キャップ
２０ｂ…孔
【図１】
2020198964.tif 000003
【図２】
2020198964.tif 000004
【図３】
2020198964.tif 000005
【図４】
2020198964.tif 000006
【図５】
2020198964.tif 000007
【図６】
2020198964.tif 000008
【図７】
2020198964.tif 000009
【図８】
2020198964.tif 000010
【図９】
2020198964.tif 000011
【図１０】
2020198964.tif 000012
【図１１】
2020198964.tif 000013
【図１２】
2020198964.tif 000014
【図１３】
2020198964.tif 000015
【図１４】
2020198964.tif 000016
【図１５】
2020198964.tif 000017
【図１６】
2020198964.tif 000018
【図１７】
2020198964.tif 000019
【図１８】
2020198964.tif 000020
【図１９】
2020198964.tif 000021
【図２０】
2020198964.tif 000022